(57)【特許請求の範囲】
【請求項１】
情報を共有するための方法であって、
リッチユーザデバイスが、前記リッチユーザデバイス上の共有アプリケーションと、関連付けられた１つ以上の二次ディスプレイデバイスとの間で専用通信ペアリングを確立することと、ここにおいて、前記共有アプリケーションは、前記１つ以上の二次ディスプレイデバイスのアドレスを識別するコードを含み、前記１つ以上の二次ディスプレイデバイスは、前記１つ以上の二次ディスプレイデバイスが前記共有アプリケーションと専用に通信することを可能にする通信パラメータを用いて前もってプログラミングされ、前記１つ以上の二次ディスプレイデバイス上の前もってプログラミングされたコードは、ペアリングパラメータが前記リッチユーザデバイスと前記１つ以上の二次ディスプレイデバイスとの間で交換されることを可能にする、
前記リッチユーザデバイスにおいて、前記リッチユーザデバイスに関連付けられた前記１つ以上の二次ディスプレイデバイスと共有すべき、前記リッチユーザデバイスを通して保持される１つ以上の情報セットの選択を受信することと、ここにおいて、前記１つ以上の情報セットは、各二次ディスプレイデバイスによって異なる、
前記リッチユーザデバイスが、前記選択された１つ以上の情報セットに関連付けられた現在のデータを識別することと、
前記リッチユーザデバイスが、前記識別された現在のデータを、表示のために前記１つ以上の二次ディスプレイデバイスに送ることと
を備える方法。
【請求項２】
前記選択された１つ以上の情報セットにおいて新しいデータを検出することと、
前記検出された新しいデータを、表示のために前記１つ以上の二次ディスプレイデバイスに送信することと
をさらに備える、請求項１に記載の方法。
【請求項３】
前記１つ以上の情報セットは、
カレンダ情報、
メッセージボード情報、
位置情報、
写真、
タスクリスト情報、および
ソーシャルメディア情報
のうちの１つ以上を備える、請求項１に記載の方法。
【請求項４】
前記リッチユーザデバイスに関連付けられた１つ以上の追加の二次ディスプレイデバイスと共有すべき、前記リッチユーザデバイス上で保持される追加の１つ以上の情報セットの選択を受信することと、
前記追加の１つ以上の情報セットから追加の現在のデータを識別することと、
前記識別された追加の現在のデータを、表示のために前記１つ以上の追加の二次ディスプレイデバイスに送信することと
をさらに備える、請求項１に記載の方法。
【請求項５】
前記送ることは、事前に選択されたイベントに応答して自動的に行われる、請求項１に記載の方法。
【請求項６】
前記事前に選択されたイベントは、
位置へのエントリ、
前記リッチユーザデバイスによる、所定のデータの受信、および
所定の時間での到着
のうちの１つ以上を備える、請求項５に記載の方法。
【請求項７】
情報を共有するための方法であって、
二次ディスプレイデバイスが、リッチユーザデバイス上の共有アプリケーションと前記二次ディスプレイデバイスとの間で専用通信ペアリングを確立することと、ここにおいて、前記共有アプリケーションは、前記二次ディスプレイデバイスのアドレスを識別するコードを含み、前記二次ディスプレイデバイスは、前記二次ディスプレイデバイスが前記共有アプリケーションと専用に通信することを可能にする通信パラメータを用いて前もってプログラミングされ、前記二次ディスプレイデバイス上の前もってプログラミングされたコードは、ペアリングパラメータが前記リッチユーザデバイスと前記二次ディスプレイデバイスとの間で交換されることを可能にする、
前記二次ディスプレイデバイスが、前記リッチユーザデバイスから１つ以上の情報セットを受信することと、
前記１つ以上の情報セットを前記二次ディスプレイデバイス上に表示することと、
前記二次ディスプレイデバイスが、前記１つ以上の情報セットに対するアップデートを前記リッチユーザデバイスから受信することと、ここにおいて、前記１つ以上の情報セットは、前記リッチユーザデバイスとの前記専用通信ペアリングを有する各二次ディスプレイデバイスによって異なる、
前記二次ディスプレイデバイス上で前記１つ以上の情報セットを前記受信されたアップデートと置き換えることと
を備える方法。
【請求項８】
前記１つ以上の情報セットの各々は、前記二次ディスプレイデバイスの関連するセクションに表示される、請求項７に記載の方法。
【請求項９】
前記１つ以上の情報セットおよび前記アップデートは、前記二次ディスプレイデバイスによってワイヤレスに受信される、請求項７に記載の方法。
【請求項１０】
電子装置であって、
リッチユーザデバイス上の共有アプリケーションと、関連付けられた１つ以上の二次ディスプレイデバイスとの間で専用通信ペアリングを確立するための、前記リッチユーザデバイスによって実行可能な手段と、ここにおいて、前記共有アプリケーションは、前記１つ以上の二次ディスプレイデバイスのアドレスを識別するコードを含み、前記１つ以上の二次ディスプレイデバイスは、前記１つ以上の二次ディスプレイデバイスが前記共有アプリケーションと専用に通信することを可能にする通信パラメータを用いて前もってプログラミングされ、前記１つ以上の二次ディスプレイデバイス上の前もってプログラミングされたコードは、ペアリングパラメータが前記リッチユーザデバイスと前記１つ以上の二次ディスプレイデバイスとの間で交換されることを可能にする、
前記リッチユーザデバイスに関連付けられた前記１つ以上の二次ディスプレイデバイスと共有すべき、前記リッチユーザデバイスを通して保持される１つ以上の情報セットの選択を受信するための、前記リッチユーザデバイスによって実行可能な手段と、ここにおいて、前記１つ以上の情報セットは、各二次ディスプレイデバイスによって異なる、
前記選択された１つ以上の情報セットに関連付けられた現在のデータを識別するための、前記リッチユーザデバイスによって実行可能な手段と、
前記識別された現在のデータを、表示のために前記１つ以上の二次ディスプレイデバイスに送るための、前記リッチユーザデバイスによって実行可能な手段と
を備える電子装置。
【請求項１１】
電子装置であって、
リッチユーザデバイス上の共有アプリケーションと二次ディスプレイデバイスとの間で専用通信ペアリングを確立するための、前記二次ディスプレイデバイスによって実行可能な手段と、ここにおいて、前記共有アプリケーションは、前記二次ディスプレイデバイスのアドレスを識別するコードを含み、前記二次ディスプレイデバイスは、前記二次ディスプレイデバイスが前記共有アプリケーションと専用に通信することを可能にする通信パラメータを用いて前もってプログラミングされ、前記二次ディスプレイデバイス上の前もってプログラミングされたコードは、ペアリングパラメータが前記リッチユーザデバイスと前記二次ディスプレイデバイスとの間で交換されることを可能にする、
前記リッチユーザデバイスから１つ以上の情報セットを受信するための、前記二次ディスプレイデバイスによって実行可能な手段と、ここにおいて、前記１つ以上の情報セットは、前記リッチユーザデバイスとの前記専用通信ペアリングを有する各二次ディスプレイデバイスによって異なる、
前記１つ以上の情報セットを前記二次ディスプレイデバイス上に表示するための手段と、
前記１つ以上の情報セットに対するアップデートを前記リッチユーザデバイスから受信するための、前記二次ディスプレイデバイスによって実行可能な手段と、
前記二次ディスプレイデバイス上で前記１つ以上の情報セットを前記受信されたアップデートと置き換えるための手段と
を備える電子装置。
【請求項１２】
複数のモバイルデバイス上でのミラー化インターフェースナビゲーションのための、プログラムコードを記録しているコンピュータ読取可能な記憶媒体であって、前記プログラムコードは、
請求項１乃至６のいずれかの方法を実行するための、リッチユーザデバイスにおいて実行可能なプログラムコード、
を備える、コンピュータ読取可能な記憶媒体。
【請求項１３】
複数のモバイルデバイス上でのミラー化インターフェースナビゲーションのための、プログラムコードを記録しているコンピュータ読取可能な記憶媒体であって、前記プログラムコードは、
請求項７乃至９のいずれかの方法を実行するための、二次ディスプレイデバイスによって実行可能なプログラムコード、
を備える、コンピュータ読取可能な記憶媒体。
【発明の詳細な説明】
【技術分野】
【０００１】
[0001]  本開示の態様は一般に、電子ユーザインターフェースに関し、より詳細には、二次ディスプレイ（secondary displays）を通してユーザ情報を共有することに関する。
【背景技術】
【０００２】
[0002]  過去数年にわたり、モバイル電子機器の利用可能性と、社会への市場浸透（market penetration）は、著しく増加している。スマートフォンは、売上および市場への配置（in sale and placement into the market）において、ボイス専用モバイル電話または拡張機能電話（voice-only mobile phones or enhanced feature phones）に迅速に勝っている。スマートフォンに加え、人々は、タブレットコンピュータ、ノートブックおよびネットブックコンピュータ、ならびに、通信、生産性、組織寿命（life organization）を補うための他のポータブルコンピューティングデバイスを入手し、ソーシャルメディアへの接続性を保持している。
【０００３】
[0003]  現在の多くのモバイル電子デバイスは、独立したサードパーティを通して提供されようと、ネットワークオペレータを通して提供されようと、製造業者を通して提供されようと、または、同様のものを通して提供されようと、動作可能なプラットフォームを補助的なアプリケーション（supplemental applications）に対して提供する。このように、カレンダ、電子メールアクセス、インターネットアクセス、および通信機能性を保持することに加え、そのような現代の電子デバイスの多くは、補助的な通信アプリケーション、ゲームおよびエンターテイメント、ソーシャルメディア・アプリケーション、視覚メディア開発環境、生産性アプリケーション、等の様々なタイプのアプリケーションに対してコンピュータプラットフォームを提供する。
【０００４】
[0004]  そのようなモバイル電子機器の発展（growth）の背景にある理由のうちの１つは、他の人々と繋っていたい（remain connected）という願望である。友人達は、ソーシャルメディア、ショートメッセージングサービス（ＳＭＳ）またはテキストメッセージ、電子メール、等を通して交流しうる。家族も同様に繋がっており、スケジュール、やるべきことのリスト（todo lists）、ショッピングリスト、等の調整も行いうる。しかしながら、そのような先進のモバイル電子機器が日常生活の増加してきている一部になってきている一方で、通信を保持するための様々な手段のすべてを通して友人達または家族と通信を保持することは、極めて時間のかかるプロセスとなりうる。
【発明の概要】
【０００５】
[0005]  本開示の代表的な態様は、リッチユーザデバイス（a rich user device）と、１つ以上の二次ディスプレイデバイス（one or more secondary display devices）との間で情報を共有することに向けられている。ユーザは、リッチユーザデバイスにおいて、二次ディスプレイデバイスと共有されるべき情報のタイプを選択する。選択に応じて、リッチユーザデバイスは、選択された情報セットを、表示のために二次ディスプレイデバイスに送る。リッチユーザデバイスにおいて情報のアップデート（updates of the information）が検出されると、これらのアップデートは、新しいアップデートされた情報を表示するために、二次ディスプレイデバイスに送られる。
【０００６】
[0006]  本開示の一態様において、情報を共有するための方法は、リッチユーザデバイスに関連付けられた１つ以上の二次ディスプレイデバイスと共有すべき、リッチユーザデバイスを通して保持される１つ以上の情報セットの選択をリッチユーザデバイスにおいて受信することと、選択された１つ以上の情報セットに関連付けられた現在のデータ（current data）をリッチユーザデバイスよって識別することと、識別された現在のデータを、表示のために１つ以上の二次ディスプレイデバイスにリッチユーザデバイスによって送ることとを含む。
【０００７】
[0007]  本開示の追加の態様において、情報を共有するための方法は、リッチユーザデバイスから１つ以上の情報セットを二次ディスプレイデバイスによって受信すること、ここにおいて、二次ディスプレイデバイスは、リッチユーザデバイスとの専用通信ペアリング（a dedicated communication pairing）を有する、１つ以上の情報セットを二次ディスプレイデバイス上に表示することと、リッチユーザデバイスから１つ以上の情報セットに対するアップデートを二次ディスプレイデバイスによって受信することと、二次ディスプレイデバイス上で１つ以上の情報セットを受信されたアップデートと置き換えることを含む。
【０００８】
[0008]  本開示の追加の態様において、電子装置は、リッチユーザデバイスに関連付けられた１つ以上の二次ディスプレイデバイスと共有すべき、リッチユーザデバイスを通して保持される１つ以上の情報セットの選択を受信するための、リッチユーザデバイスによって実行可能な手段と、選択された１つ以上の情報セットに関連付けられた現在のデータを識別するための、リッチユーザデバイスによって実行可能な手段と、識別された現在のデータを、表示のために１つ以上の二次ディスプレイデバイスに送るための、リッチユーザデバイスによって実行可能な手段とを含む。
【０００９】
[0009]  本開示の追加の態様において、電子装置は、リッチユーザデバイスから１つ以上の情報セットを受信するための、二次ディスプレイデバイスによって実行可能な手段と、ここにおいて、二次ディスプレイデバイスは、リッチユーザデバイスとの専用通信ペアリングを有する、１つ以上の情報セットを二次ディスプレイデバイス上に表示するための手段と、リッチユーザデバイスから１つ以上の情報セットに対するアップデートを受信するための、二次ディスプレイデバイスによって実行可能な手段と、二次ディスプレイデバイス上で１つ以上の情報セットを、受信されたアップデートと置き換えるための手段とを含む。
【００１０】
[0010]  本開示の追加の態様において、コンピュータプログラム製品は、プログラムコードを記録したコンピュータ読取可能な媒体を有する。このプログラムコードは、リッチユーザデバイスに関連付けられた１つ以上の二次ディスプレイデバイスと共有すべき、リッチユーザデバイスを通して保持される１つ以上の情報セットの選択を受信するための、リッチユーザデバイスにおいて実行可能なコードと、選択された１つ以上の情報セットに関連付けられた現在のデータを識別するための、リッチユーザデバイスによって実行可能なコードと、識別された現在のデータを、表示のために１つ以上の二次ディスプレイデバイスに送るための、リッチユーザデバイスによって実行可能なコードとを含む。
【００１１】
[0011]  本開示の追加の態様において、コンピュータプログラム製品は、プログラムコードを記録したコンピュータ読取可能な媒体を有する。このプログラムコードは、リッチユーザデバイスから１つ以上の情報セットを受信するための、二次ディスプレイデバイスによって実行可能なコードと、ここにおいて、二次ディスプレイデバイスは、リッチユーザデバイスとの専用通信ペアリングを有する、１つ以上の情報セットを二次ディスプレイデバイス上に表示するためのコードと、リッチユーザデバイスから１つ以上の情報セットに対するアップデートを受信するための、二次ディスプレイデバイスによって実行可能なコードと、二次ディスプレイデバイス上で１つ以上の情報セットを受信されたアップデートと置き換えるためのコードとを含む。
【００１２】
[0012]  本開示の追加の態様において、リッチユーザデバイスは、少なくとも１つのプロセッサと、このプロセッサに結合されたメモリとを含む。プロセッサは、リッチユーザデバイスに関連付けられた１つ以上の二次ディスプレイデバイスと共有すべき、リッチユーザデバイスを通して保持される１つ以上の情報セットの選択を受信することと、選択された１つ以上の情報セットに関連付けられた現在のデータを識別することと、識別された現在のデータを、表示のために１つ以上の二次ディスプレイデバイスに送ることとを行うように構成される。
【００１３】
[0013]  本開示の追加の態様において、二次ディスプレイデバイスは、少なくとも１つのプロセッサと、このプロセッサに結合されたメモリとを含む。プロセッサは、リッチユーザデバイスから１つ以上の情報セットを受信することと、ここにおいて、二次ディスプレイデバイスは、リッチユーザデバイスとの専用通信ペアリングを有する、１つ以上の情報セットを二次ディスプレイデバイス上に表示することと、リッチユーザデバイスから１つ以上の情報セットに対するアップデートを受信することと、二次ディスプレイデバイス上で１つ以上の情報セットを受信されたアップデートと置き換えることとを行うように構成される。
【図面の簡単な説明】
【００１４】
【図１】図１は、本開示の一態様にしたがって構成された電子デバイスを示すブロック図である。
【図２】図２は、本開示の一態様にしたがって構成された二次ディスプレイデバイスを示すブロック図である。
【図３】図３は、本開示の一態様にしたがって構成された二次ディスプレイを示すブロック図である。
【図４】図４は、本開示の一態様にしたがって構成された二次ディスプレイデバイスを示すブロック図である。
【図５】図５は、本開示の一態様を実現するために実行される例示的なブロックを示す機能ブロック図である。
【図６】図６は、本開示の一態様を実現するために実行される例示的なブロックを示す機能ブロック図である。
【図７】図７は、本開示の一態様にしたがって構成された二次ディスプレイデバイスを示すブロック図である。
【詳細な説明】
【００１５】
[0021]  添付の図面に関連して以下に示される詳細な説明は、様々な構成の説明であることを意図しており、本明細書で説明される概念が実施されうる唯一の構成を表すことを目的としたものではない。詳細な説明は、様々な概念の十分な理解を提供することを目的とする特定の詳細を含む。しかしながら、これらの概念がこれらの特定の詳細なしで実施されうることは、当業者には明らかであろう。いくつかの例では、このような概念を曖昧にしないために、周知の構造およびコンポーネントがブロック図形式で示されている。
【００１６】
[0022]  図１は、本開示の一態様にしたがって構成された電子デバイス１０を示すブロック図である。電子デバイス１０は、多くの典型的なスマートフォン、タブレットコンピュータ、ノートブックおよびネットブックコンピュータ、コンピュータ、等に共通した様々なコンポーネントを含む。電子デバイス１０のようなデバイスは、複雑なタスクを実行し、複雑なプログラムを稼働し、ユーザと実質的に対話するために、処理電力、メモリ、およびプログラミングを含んでおり、本明細書ではリッチユーザデバイスとも呼ばれうる。
【００１７】
[0023]  電子デバイス１０の機能性および動作は、プロセッサ１００を通して制御および実行される。プロセッサ１００は、１つ以上のコアプロセッサ、中央処理装置（ＣＰＵ）、グラフィカル処理ユニット（ＧＰＵ）、数値演算コプロセッサ（math co-processor）、等を含みうる。プロセッサ１００は、メモリ１０１に記憶されているソフトウェアを通して実現されようと、論理が集積回路コンポーネントに直接組み込まれるファームウェアで実現されようと、プログラム論理を実行する。電子デバイス１０は、ワイヤレス広域ネットワーク（ＷＷＡＮ）無線機（radios）、およびＷＩＦＩ（登録商標）無線機、ブルートゥース（登録商標）無線機、等のワイヤレスローカルエリアネットワーク（ＷＬＡＮ）無線機のうちの１つ以上といったワイヤレス無線機（wireless radio）１０２のような様々な無線機を通してワイヤレスに通信しうる。ＷＷＡＮ無線機がワイヤレス無線機１０２において複数の無線機のうちの１つとして含まれる場合、通信は一般的に、３Ｇ、４Ｇ，ＬＴＥ、等の長距離ワイヤレス通信ネットワークを通じて通信することが可能とされうる。ＷＩＦＩ（登録商標）無線機、ブルートゥース（登録商標）無線機、等の様々なＷＬＡＮ無線機は、より短い距離にわたる通信を可能にする。電子デバイス１０はまた、ネットワークインターフェース１０３とのワイヤード接続を通して通信およびネットワークアクセスを提供しうる。ワイヤード接続は、インターネットまたは他のアクセス可能な通信ネットワークに接続するために、公衆交換電話網（ＰＳＴＮ）、または他の通信ネットワークに接続しうる。
【００１８】
[0024]  プロセッサ１００の制御下で、データ１０４、ａｐｐｌｉｃａｔｉｏｎ＿１ １０５〜ａｐｐｌｉｃａｔｉｏｎ＿Ｎ １０７を含む、メモリ１０１に記憶されているプログラム論理は、通信、インターネット接続、および生産性、エンターテイメント等のための様々なプログラムの実行を含む、電子デバイス１０の機能性を提供する。例えば、メモリ１０１に記憶されているアプリケーションは、プロセッサ１００によって実行されると、カレンダプログラム、ゲームプログラム、リストプログラム、ソーシャルメディア・プログラム、ウェブブラウザ、等を動作させうる。そのようなオペレーティング・アプリケーション（operating applications）が、ユーザインターフェースコンポーネント１０８を介して、ユーザに視覚的に表示される。ユーザインターフェースコンポーネント１０８は、モバイルデバイスのディスプレイスクリーン（示されない）上への視覚情報のレンダリングを制御する様々なハードウェアおよびソフトウェアアプリケーションを含む。ユーザインターフェースコンポーネント１０８は、プロセッサ１００の制御下で、ユーザと電子デバイス１０との間のすべての形式のインターフェースを制御し、動作させる。このように、例えば、電子デバイス１０がタッチスクリーンディスプレイを用いて実現される場合、ユーザインターフェースコンポーネント１０８は、タッチスクリーン上のユーザの入力および指の動き（finger motions）を読み取り、これらの移動（movements）またはジェスチャを電子インターフェース・ナビゲーショナルコマンド（electronic interface navigational commands）およびデータエントリへと変換する。ユーザインターフェースコンポーネント１０８の様々な態様はまた、プロセッサ１００によって制御された、処理を通してレンダリングされた視覚データを受信し、その視覚情報をディスプレイ上に表示するであろう。このように、タッチスクリーンデバイスへの入力の間、ユーザインターフェースコンポーネント１０８は、ディスプレイスクリーン上でのユーザの指の移動（a user’s finger movements）およびジェスチャから入力データを受信し、分析することができる。これはまた、ユーザへの表示により出力されるべき処理された視覚データまたはサウンドデータの形式でデータをプロセッサ１００から受信している可能性があり、そのうちのいくつかは、ユーザの指の移動に応答して、スクリーンオブジェクトの移動を反映するためのものであり得る。
【００１９】
[0025]  本開示の様々な態様は、二次遠隔ディスプレイを通してユーザインターフェース情報を共有することを提供する。この通信パラダイムにおいて、電子デバイス１０のような、リッチユーザデバイス（モバイル電話、デスクトップコンピュータ、ラップトップ、タブレット、等）は、簡易的な二次ディスプレイデバイスとペアリングされる（is paired with）。二次ディスプレイデバイスは、関連付けられたリッチユーザデバイスからプッシュ配信された（pushed）指定された情報を表示するためのシン・クライアントディスプレイ（a thin client display）を提供する。例えば、電子デバイス１０のメモリ１０１に記憶されているａｐｐｌｉｃａｔｉｏｎ＿２ １０６は、情報共有アプリケーション（an information sharing application）である。ユーザは、電子デバイス１０上で稼働するためにａｐｐｌｉｃａｔｉｏｎ＿２ １０６を選択するだろう。ａｐｐｌｉｃａｔｉｏｎ＿２ １０６は、１つ以上の特定の専用の二次ディスプレイデバイス（示されない）のアドレスを特に識別するコードを含む。これらの二次ディスプレイデバイスは、最小限の処理電力の（with minimal processing power）、シン・クライアントタイプのデバイスである。それらの主な目的は、この二次デバイスを所持しているユーザに情報の数ピース（a few pieces of information）を表示することである。さらに、二次ディスプレイデバイスは、二次デバイスが、特に、電子デバイス１０上で稼働する共有アプリケーションａｐｐｌｉｃａｔｉｏｎ＿２ １０６、または、他のリッチユーザデバイス上で稼働する類似した共有アプリケーション（sharing application）と通信することを可能にする通信パラメータを用いて、前もってプログラミングされ（preprogrammed）うる。
【００２０】
[0026]  ａｐｐｌｉｃａｔｉｏｎ＿２ １０６の実行を通して作り出される、電子デバイス１０上の共有インターフェースにより、ユーザは、二次ディスプレイデバイスと共有されるべき特定の情報を指定することができる。一度情報が指定されると、電子デバイス１０は、その情報を、表示のために二次ディスプレイデバイスに送ることを開始するだろう。この情報は、カレンダ、タスクリスト、メッセージボード（a message board）、位置、感情アイコン（emoticon）、等でありうる。電子デバイス１０上でこの情報が時々アップデートされると、このアップデートもまた、表示のために二次ディスプレイデバイスに送信される。この共有される情報は、ワイヤレス無線機１０２を使用してワイヤレスで、または、ネットワークインターフェース１０３を使用してインターネットへのワイヤライン接続（wireline connection）を通して送信されうる。
【００２１】
[0027]  デバイスを簡易的なものに保つために、制限された量の情報が、二次デバイスに提供されることとなる。例えば、ユーザは、カレンダ情報だけを共有するように指定するかもしれないし、または、タスクリストおよび位置だけを共有するかもしれない。様々な異なる組み合わせが提供されうるが、一方、インターフェースをできる限り簡易的なものに保持する。簡易的なデバイスとして、二次ディスプレイデバイスは、最小限のユーザ対話用にも構成されるだろう。ユーザは、デバイスをオフおよびオンにすること、または、表示される情報のサイズを変更することのみに限られるかもしれない。
【００２２】
[0028]  １つよりも多くの二次ディスプレイデバイスがリッチユーザデバイスとペアリングされうる。これにより、リッチユーザデバイスのユーザは、複数の人々に二次ディスプレイデバイスを提供することができるか、または、ある人がそれを複数の位置で有することを可能にする。複数の二次ディスプレイデバイスがリッチユーザデバイスとペアリングされる場合、ユーザは、ある人に与えられた二次ディスプレイがカレンダ情報を表示し、一方、別の人に与えられた二次ディスプレイが位置またはメッセージボードを表示しうるように、各二次ディスプレイデバイスに対して共有すべき異なるタイプの情報を選択しうる。
【００２３】
[0029]  図２は、本開示の一態様にしたがって構成された二次ディスプレイデバイス２０２および２０４を示すブロック図である。図２で示される例のために、ディスプレイ２０１を含むリッチユーザデバイス２００は、１０代の少年であるユーザの所有物である。リッチユーザデバイス２００は、スマートフォン、タブレットコンピュータ、等でありうる。１０代のユーザは、彼が、情報を共有するためにリッチユーザデバイス２００とペアリングする（pair with）ことを望む２つの二次ディスプレイデバイス２０２および２０４を入手する。二次ディスプレイデバイス２０２および２０４は各々、それぞれにディスプレイ２０３および２０５を含む。ディスプレイ２０１、２０３、および２０５は各々、典型的な平面型ディスプレイスクリーンであり、表示されたインターフェースオブジェクトまたはエレメントの直接的な操作を通して入力または対話を受信するために、タッチスクリーンとして実現されうる。リッチユーザデバイス２００上での情報共有アプリケーションの動作を通して、ユーザは、二次ディスプレイデバイス２０２および２０４をリッチユーザデバイス２００とペアリングする。二次ディスプレイデバイス２０２および２０４上の前もってプログラミングされているコードは、ペアリングパラメータ（the pairing parameters）がその複数のデバイス間で交換されることを可能にする。
【００２４】
[0030]  リッチユーザデバイス２００への入力を通して、ユーザは、彼が二次ディスプレイデバイス２０２および２０４と共有することを望む特定の情報を指定する。例えば、ユーザは、二次ディスプレイデバイス２０２とは位置情報を共有することを選択し、二次ディスプレイデバイス２０４とはソーシャルメディア・ステータスアップデート（social media status updates）を共有することを選択する。共有すべきこれらのタイプの情報の選択に応じて、リッチユーザデバイス２００は、二次ディスプレイデバイス２０２および２０４の各々への共有情報の送信を開始する。オンにされると、二次ディスプレイデバイス２０２は、リッチユーザデバイス２００の位置情報のディスプレイ２０３上での表示を開始し、一方、二次ディスプレイデバイス２０４は、ユーザによるソーシャルメメディア・ステータスアップデートの表示を開始するだろう。
【００２５】
[0031]  二次ディスプレイデバイス２０２および２０４をリッチユーザデバイス２００とペアリングした後、ユーザは、二次ディスプレイデバイス２０２を彼の両親に与え、二次ディスプレイデバイス２０４を彼のガールフレンドに与える。ユーザの両親は、二次ディスプレイデバイス２０２を彼らの家、位置Ｂ、にセットアップし（set up）、ユーザのガールフレンドは、二次ディスプレイデバイス２０４を彼女の部屋、位置Ｃ、にセットアップする。ユーザが持っている、位置Ａのリッチユーザデバイス２００は、共有することが指定されているすべての情報についての情報アップデート（information updates）を送信するだろう。例えば、ユーザおよびリッチユーザデバイス２００が位置Ａにいる間、アップデートされた位置情報、位置Ａ、が位置Ｂの二次ディスプレイデバイス２０２に送信され、ディスプレイ２０３上に表示されるだろう。したがって、ユーザの両親は、共有され、かつ、ディスプレイ２０３上に表示されている位置情報を見ることによってユーザがどこにいるのかを知ることができる。
【００２６】
[0032]  ユーザはまた、彼のソーシャルメディア・ステータスアップデートをリッチユーザデバイス２００上で入力する。彼のアップデートが入力されると、このアップデートされた情報は、位置Ｃの二次ディスプレイデバイス２０４に送信され、ディスプレイ２０５上に表示される。次に、ユーザのガールフレンドは、ディスプレイ２０５上のアップデートされたステータス情報を参照することで、ユーザのステータスアップデートを見ることができる。
【００２７】
[0033]  二次ディスプレイデバイス２０２および２０４は、独立した通信機能性を含まない。すなわち、二次ディスプレイデバイス２０２および２０４のうちのいずれかを所持しているパーティは、二次ディスプレイデバイス２０２および２０４を通してリッチユーザデバイス２００に通信することはできない。これらデバイスのペアリングを通して定義された通信パラダイムは、共有されるべき情報を、リッチユーザデバイス２００から二次ディスプレイデバイス２０２および２０４に一方向で提供する。
【００２８】
[0034]  本開示の別の態様において、リッチユーザデバイスのユーザがある行動を行うかまたは特定の位置に到着した場合に、事前に設定された（preset）データが、関連付けられた二次ディスプレイデバイスと共有されうるように、事前に設定された行動（action）が選択されうる。例えば、リッチユーザデバイス２００のユーザは、リッチユーザデバイス２００が特定の位置に到着した際に位置情報が二次ディスプレイデバイス２０２に自動的に送られることを選択する。位置Ａは、リッチユーザデバイス２００のユーザのアパートメントでありうる。二次ディスプレイデバイス２０２は、位置Ｂにいるユーザの父親が所持している。このように、リッチユーザデバイス２００がユーザとともに家に到着するとすぐに、位置Ａであることを示すプレゼンスインジケーション（presence indication at Location A）が、二次ディスプレイデバイス２０２に送られる。
【００２９】
[0035]  図３は、本開示の一態様にしたがって構成された二次ディスプレイデバイス３０４を示すブロック図である。ディスプレイ３０１を有するリッチユーザデバイス３００のユーザは、カレンダ情報を二次ディスプレイデバイス３０４と共有することを指定している。リッチユーザデバイス３００は、ユーザが、彼または彼女の家、位置Ｄ、で保持しているタブレットコンピュータ、ネットブック、等でありうる。ユーザは、コンピュータ３０３に接続された二次ディスプレイデバイス３０４を、彼または彼女のオフィス、位置Ｅ、にセットアップする。二次ディスプレイデバイス３０４は、ユニバーサル・シリアル・バス（universal serial bus）（ＵＳＢ）、ＩＥＥＥ １３９４接続、またはイーサネット（登録商標）接続、等のワイヤード接続を使用してコンピュータ３０３に接続する。コンピュータ３０３もまた、ワイヤライン接続を介してインターネット３０２に接続される。カレンダアイテムがリッチユーザデバイス３００上に現れると、それらのアップデートされた情報アイテムは、二次ディスプレイデバイス３０４に、コンピュータ３０３を経由したインターネット３０２へのその接続を通して、インターネット３０２を介して送信されうる。次に、このアップデートされたカレンダ情報は、ディスプレイ３０５上に表示される。そのような配列（an arrangement）において、ユーザは、彼または彼女の仕事用コンピュータ、コンピュータ３０３、上で稼働している任意のカレンダアプリケーションとは全く別のホームカレンダをリッチユーザデバイス３００上に保持しうる。リッチユーザデバイス３００からのカレンダ情報は、二次ディスプレイデバイス３０４と共有され、次に位置Ｅのユーザに表示される。
【００３０】
[0036]  図４は、本開示の一態様にしたがって構成された二次ディスプレイデバイス４０３を示すブロック図である。ディスプレイ４０１を有するリッチユーザデバイス４００のユーザは、情報の複数のセットを二次ディスプレイデバイス４０３と共有することを選択している。２つのセットの共有される情報の場合、二次ディスプレイデバイス４０３上のディスプレイ４０４は、セクションＡおよびセクションＢという２つの部分へと視覚的に分割される。二次ディスプレイデバイス４０３が情報および情報アップデートを受信すると、情報の一方のセットは、ディスプレイ４０４のセクションＡに表示され、一方、情報の他方のセットは、ディスプレイ４０４のセクションＢに表示されるだろう。このように、二次ディスプレイデバイス４０３を所持しているユーザは、共有される情報アップデートの両方のセットの表示を見るために、ディスプレイ４０４を参照しうる。
【００３１】
[0037]  リッチユーザデバイス４００のユーザが二次ディスプレイデバイス４０３と共有することを選択した情報の一方のセットは、ソーシャルメディア・アプリケーションのためのステータスアップデート情報である。ユーザが共有することを選択した情報の別のセットは、位置情報である。位置情報は、リッチユーザデバイス４００において決定され、保持される。リッチユーザデバイス４００は、リッチユーザデバイス４００の位置を算出する能力を含む全地球測位衛星（a global positioning satellite）（ＧＰＳ）無線機（示されない）を含む。この位置情報が変更またはアップデートされると、アップデートされた位置情報が、二次ディスプレイデバイス４０３に送られ、ディスプレイ４０４のセクションＡに表示される。
【００３２】
[0038]  対照的に、ソーシャルメディア・アプリケーションのためのステータスアップデート情報は、必ずしも、リッチユーザデバイス４００によって保持される必要はない。リッチユーザデバイス４００のユーザは、ソーシャルメディア・アプリケーションに関連付けられたデータを保持する遠隔サーバ４０２に送信されるデータを、タッチスクリーンディスプレイ４０１を通して入力しうる。ソーシャルメディア・アプリケーションのローカルバージョン（a local version）が、リッチユーザデバイス４００上に記憶され、実行される。しかしながら、ステータスアップデート情報を表すデータは、リッチユーザデバイス４００上で局所的に稼働しているソーシャルメディア・アプリケーションの動作インスタンス（operating instances）中に、リッチユーザデバイス４００上に一時的にのみ記憶される。ステータスアップデート情報を表すデータは、インターネット３０２を通して遠隔サーバ４０２に送信される。このデータは、ソーシャルメディア・アプリケーションが認識し、かつ、ソーシャルメディア・アプリケーションのユーザインターフェースに視覚的に投入（populate）することができる特定のフォーマットで送信される。このタイプの情報が二次ディスプレイデバイス４０３と共有されるために選択されると、リッチユーザデバイス４００上で動作する共有アプリケーションは、ステータスアップデートを表すデータのフォーマットを認識し、インターネット３０２を通して、この情報のコピーを二次ディスプレイデバイス４０３に送る。二次ディスプレイデバイス４０３へと前もってプログラミングされたディスプレイインターフェースコードは、このソーシャルメディア・データフォーマットを理解し、ステータスアップデートを、ディスプレイ４０４上に、この例では、ディスプレイ４０４のセクションＢに有意義な方法で表示するさらなるプログラムコードを含める。
【００３３】
[0039]  図５は、本開示の一態様を実現するために実行される例示的なブロックを示す機能ブロック図である。ブロック５００において、リッチユーザデバイスは、リッチユーザデバイスに関連付けられた１つ以上の二次ディスプレイデバイスと共有すべき、リッチユーザデバイスを通して保持される１つ以上の情報セットの選択をユーザから受信する。ユーザは、この情報を選択するために、リッチユーザデバイス上のオペレーティング情報共有アプリケーション（an operating information sharing application）のインターフェースと対話する。リッチユーザデバイスは、ブロック５０１において、選択された１つ以上の情報セットから現在のデータを識別する。ブロック５０２において、リッチユーザデバイスは、識別された現在のデータを、表示のために１つ以上の二次ディスプレイデバイスに送る。一度識別されると、リッチユーザデバイスは、選択された情報の現在のデータを二次ディスプレイデバイスに送ることによって、選択された情報の共有を開始する。
【００３４】
[0040]  図６は、本開示の一態様を実現するために実行される例示的なブロックを示す機能ブロック図である。ブロック６００において、二次ディスプレイデバイスは、リッチユーザデバイスから１つ以上の情報セットを受信する。二次ディスプレイデバイスは、リッチユーザデバイスに関連付けられ、それとの専用通信ペアリングを有する。二次ディスプレイデバイスは、ブロック６０１において、受信された情報セットを二次ディスプレイデバイスのディスプレイ上に表示する。ブロック６０２において、二次ディスプレイデバイスは、リッチユーザデバイスから、情報セットに対するアップデートを受信する。次に、二次ディスプレイデバイスは、ブロック６０３において、情報セットを二次ディスプレイデバイス上で受信されたアップデートと置き換える。このように、二次ディスプレイデバイスは、情報がリッチユーザデバイスを通してアップデートされると、その情報をリッチユーザデバイスから受信し、表示する。
【００３５】
[0041]  図１に戻って参照すると、電子デバイス１０のユーザが二次ディスプレイデバイスの１つ以上と共有する情報の様々なセットを選択するように行動する場合、ユーザは、プロセッサ１００の制御下で、電子デバイス１０のユーザインターフェースコンポーネント１０８を通して動作する入力コンポーネントと対話する。これらコンポーネントの組み合わせは、リッチユーザデバイスに関連付けられた１つ以上の二次ディスプレイデバイスと共有すべき、リッチユーザデバイスを通して保持される１つ以上の情報セットの選択を受信するための手段を提供する。
【００３６】
[0042]  上述されたように、ａｐｐｌｉｃａｉｔｏｎ＿２ １０６は、プロセッサ１００によって実行されると動作する情報共有アプリケーションとして識別された。実行中の情報共有アプリケーション（the executing information sharing application）は、ユーザによって選択された情報セットを表すデータ１０４を識別する。これらコンポーネントの組み合わせは、選択された情報セットに関連付けられた現在のデータを識別するための手段を提供する。
【００３７】
[0043]  実行中の情報共有アプリケーションは、プロセッサ１００の制御下で、ワイヤレス無線機１０２およびネットワークインターフェース１０３の一方または両方を用いて、選択された情報セットについての識別されたデータを、１つ以上の二次ディスプレイデバイスに送る。これらコンポーネントの組み合わせは、識別された現在のデータを、表示のために１つ以上の二次ディスプレイデバイスに送るための手段を提供する。この情報に対するアップデートが発生し、電子デバイス１０で識別されると、実行中の情報共有アプリケーションは、プロセッサ１００の制御下で、ワイヤレス無線機１０２および／またはネットワークインターフェース１０３を通して、関連付けられた二次ディスプレイデバイスにそのアップデートを送るであろう。
【００３８】
[0044]  図７は、本開示の一態様にしたがって構成された二次ディスプレイデバイス７００を示すブロック図である。二次ディスプレイデバイス７００は、二次ディスプレイデバイス７００によって提供される機能性および特徴を制御および実行するプロセッサ７０１を含む。二次ディスプレイデバイス７００は、制限された機能性を有する電子デバイスでありうる。例えば、二次ディスプレイデバイス７００は、二次ディスプレイデバイス７００を所持しているユーザに、デバイスをオンおよびオフにすること、および、表示される情報の視点の配列（the arrangement of the view）を変更すること以上の能力を提供することなく、情報を受信および表示しうる。二次ディスプレイデバイス７００は、プロセッサ７０１に結合されたメモリ７０２を含む。メモリ７０２は、プロセッサ７０１が、二次ディスプレイデバイス７００の機能のいずれかを実現するためにアクセスおよび実行しうるソフトウェア、プログラムコード、データ、等を含む。例えば、メモリ７０３は、表示フォーマッティング７０３、共有アプリケーション７０４、および、一時的なキャッシュ７０８を含み、それは、二次ディスプレイデバイス７００上での表示のために、受信されたデータおよび情報を一時的に記憶する。二次ディスプレイデバイス７００は、ワイヤレス無線機７０６およびネットワークインターフェース７０７を通した通信能力を含む。ワイヤレス無線機７０６は、ＷＩＦＩ（登録商標）、ブルートゥース（登録商標）、ＷＩＦＩ（登録商標）ダイレクト、ブルートゥース（登録商標）低電力（ＬＥ）、ＺＩＧＢＥＥ（登録商標）を含むＷＬＡＮ通信、ＷＷＡＮ通信、等が含まれる、様々なプロトコルの通信を容易にするための複数の無線機を含む。
【００３９】
[0045]  プロセッサ７０１は、二次ディスプレイデバイス７００の共有機能性（the sharing functionality）を動作させるために、メモリ７０２内の共有アプリケーション７０４を実行する。プロセッサ７０１の制御下で、ワイヤレス無線機７０６およびネットワークインターフェース７０７は、様々なタイプのプロトコルを通じてデータおよび通信信号を送り、および、受信する。これらコンポーネントの組み合わせは、リッチユーザデバイスから１つ以上の情報セットを受信するための手段を提供する。二次ディスプレイデバイスは、リッチユーザデバイスとの専用通信ペアリングを有する。
【００４０】
[0046]  二次ディスプレイデバイス７００によって情報が受信されると、プロセッサ７０１は、共有アプリケーション７０４を動作中、埋込み式ディスプレイ上に受信された情報を表示するように表示インターフェース７０５を制御する際に使用する表示パラメータについての表示フォーマッティング７０３にアクセスする。これらコンポーネントの組み合わせは、受信された情報セットを二次ディスプレイデバイス上に表示するための手段を提供する。
【００４１】
[0047]  リッチユーザデバイスにおいて情報がアップデートまたは変更されると、二次ディスプレイデバイスは、プロセッサ７０１の制御下で、ワイヤレス無線機７０６およびネットワークインターフェース７０７の一方または両方を通してアップデートを受信し、一時的なキャッシュ７０８に記憶し、現在表示されている現在の情報を置き換える。これらコンポーネントの組み合わせは、リッチユーザデバイスから情報セットに対するアップデートを受信するための手段を提供する。
【００４２】
[0048]  アップデートされた情報が一時的なキャッシュ７０８内の現在のデータと置き換わると、プロセッサ７０１は、このアップデートされた情報を埋込み式ディスプレイ上で表示するために、表示インターフェース７０５とともに使用する表示フォーマッティング７０３にアクセスする。これらコンポーネントの組み合わせは、情報セットを二次ディスプレイデバイス上で受信されたアップデートと置き換えるための手段を提供する。
【００４３】
[0049]  当業者は、情報および信号が、様々な異なる技術および技法のいずれかを使用して表されうることを理解するだろう。例えば、上記説明の全体にわたって参照されうるデータ、命令、コマンド、情報、信号、ビット、シンボル、およびチップは、電圧、電流、電磁波、磁場または磁性粒子、光場または光粒子、またはこれらの任意の組み合わせによって表されうる。
【００４４】
[0050]  図５および図６の機能ブロックおよびモジュールは、プロセッサ、電子デバイス、ハードウェアデバイス、電子コンポーネント、論理回路、メモリ、ソフトウェアコード、ファームウェアコード、等、またはそれらの任意の組み合わせを備えうる。
【００４５】
[0051]  当業者はさらに、本明細書の開示に関連して説明された実例となる様々な論理ブロック、モジュール、回路、およびアルゴリズムのステップが、電子ハードウェア、コンピュータソフトウェア、または両者の組み合わせとして実現されうることを認識するだろう。ハードウェアとソフトウェアとのこの互換性を明確に示すために、様々な実例となるコンポーネント、ブロック、モジュール、回路、およびステップが、それらの機能性の観点から一般的に上記で説明されている。そのような機能性がハードウェアとして実現されるかソフトウェアとして実現されるかは、特定のアプリケーションおよびシステム全体に課された設計の制約に依存する。当業者は、説明された機能性を、特定のアプリケーションごとに様々な方法で実現することができるが、そのような実現の決定は、本開示の範囲からの逸脱を引き起こすものとして解釈されるべきではない。
【００４６】
[0052]  本明細書の開示と関連して説明された実例となる様々な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、本明細書で説明された機能を実行するように設計されたこれらの任意の組み合わせで実現されうるか、または、実行されうる。汎用プロセッサは、マイクロプロセッサでありうるが、代替的に、プロセッサは、任意の従来のプロセッサ、コントローラ、マイクロコントローラ、またはステートマシンでありうる。プロセッサはまた、コンピューティングデバイスの組み合わせ、例えば、ＤＳＰと１つのマイクロプロセッサとの組み合わせ、複数のマイクロプロセッサ、ＤＳＰコアと結合された１つ以上のマイクロプロセッサ、または任意の他のそのような構成として、実現されうる。
【００４７】
[0053]  本明細書の開示に関連して説明された方法またはアルゴリズムのステップは、ハードウェアで、プロセッサによって実行されるソフトウェアモジュールで、または両者の組み合わせで、直接的に具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体に存在しうる。例示的な記憶媒体は、プロセッサが記憶媒体から情報を読み出し、記憶媒体に情報を書き込むことができるようにプロセッサに結合される。代替的に、記憶媒体は、プロセッサに一体化されうる。プロセッサおよび記憶媒体は、ＡＳＩＣ内に存在しうる。ＡＳＩＣは、ユーザ端末内に存在しうる。代替的に、プロセッサおよび記憶媒体は、ユーザ端末内のディスクリートコンポーネントとして存在しうる。
【００４８】
[0054]  １つ以上の例示的な設計において、説明された機能は、ハードウェア、ソフトウェア、ファームウェア、またはそれらのあらゆる組み合わせで実現されうる。ソフトウェアで実現される場合、機能は、コンピュータ読取可能な媒体上に１つ以上の命令またはコードとして記憶されるか、または、それを通じて送信されることができる。コンピュータ読取可能な媒体は、ある場所から別の場所へのコンピュータプログラムの転送を容易にする任意の媒体を含む通信媒体とコンピュータ記憶媒体との両方を含む。記憶媒体は、汎用コンピュータまたは専用コンピュータによってアクセスされることができる任意の入手可能な媒体でありうる。限定ではなく例として、そのようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用されることができ、かつ、汎用コンピュータまたは専用コンピュータあるいは汎用プロセッサまたは専用プロセッサによってアクセスされることができる任意の他の媒体を備えうる。また、任意の接続は、厳密にはコンピュータ読取可能な媒体と呼ばれる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、無線、およびマイクロ波のようなワイヤレス技法を使用して送信される場合、同軸ケーブル、光ファイバーケーブル、ツイストペア、ＤＳＬ、または赤外線、無線、およびマイクロ波のようなワイヤレス技法は、媒体の定義に含まれる。ディスク（ｄｉｓｋ）およびディスク（ｄｉｓｃ）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含む。ここで、ディスク（ｄｉｓｋ）は、通常、磁気作用によってデータを再生し、ディスク（ｄｉｓｃ）はレーザで光学的にデータを再生する。上記の組み合わせもまた、コンピュータ読取可能な媒体の範囲内に含まれるべきである。
【００４９】
[0055]  本開示の先の説明は、当業者が本開示を遂行または使用することを可能にするために提供される。本開示に対する様々な変更は、当業者には容易に明らかであり、本明細書で定義された包括的な原理は、本開示の精神または範囲から逸脱せずに、他の変形したものに適用されうる。このように、本開示は、本明細書で説明された例および設計に限定されることを意図しておらず、本明細書に開示された原理および新規な特徴と合致する最も広い範囲が与えられるべきである。
なお、本願の出願当初の請求項と同一の記載を以下に付記する。
［Ｃ１］ 情報を共有するための方法であって、
リッチユーザデバイスにおいて、前記リッチユーザデバイスに関連付けられた１つ以上の二次ディスプレイデバイスと共有すべき、前記リッチユーザデバイスを通して保持される１つ以上の情報セットの選択を受信することと、
前記リッチユーザデバイスが、前記選択された１つ以上の情報セットに関連付けられた現在のデータを識別することと、
前記リッチユーザデバイスが、前記識別された現在のデータを、表示のために前記１つ以上の二次ディスプレイデバイスに送ることと
を備える方法。
［Ｃ２］ 前記選択された１つ以上の情報セットにおいて新しいデータを検出することと、
前記検出された新しいデータを、表示のために前記１つ以上の二次ディスプレイデバイスに送信することと
をさらに備える、Ｃ１に記載の方法。
［Ｃ３］ 前記１つ以上の情報セットは、
カレンダ情報、
メッセージボード情報、
位置情報、
写真、
タスクリスト情報、および
ソーシャルメディア情報
のうちの１つ以上を備える、Ｃ１に記載の方法。
［Ｃ４］ 前記リッチユーザデバイスに関連付けられた１つ以上の追加の二次ディスプレイデバイスと共有すべき、前記リッチユーザデバイス上で保持される追加の１つ以上の情報セットの選択を受信することと、
前記追加の１つ以上の情報セットから追加の現在のデータを識別することと、
前記識別された追加の現在のデータを、表示のために前記１つ以上の追加の二次ディスプレイデバイスに送信することと
をさらに備える、Ｃ１に記載の方法。
［Ｃ５］ 前記リッチユーザデバイスが、前記リッチユーザデバイスと、前記関連付けられた１つ以上の二次ディスプレイデバイスとの間で専用通信ペアリングを確立することをさらに備える、Ｃ１に記載の方法。
［Ｃ６］ 前記送ることは、事前に選択されたイベントに応答して自動的に行われる、Ｃ１に記載の方法。
［Ｃ７］ 前記事前に選択されたイベントは、
位置へのエントリ、
前記リッチユーザデバイスによる、所定のデータの受信、および
所定の時間での到着
のうちの１つ以上を備える、Ｃ６に記載の方法。
［Ｃ８］ 情報を共有するための方法であって、
二次ディスプレイデバイスが、リッチユーザデバイスから１つ以上の情報セットを受信することと、ここにおいて、前記二次ディスプレイデバイスは、前記リッチユーザデバイスとの専用通信ペアリングを有する、
前記１つ以上の情報セットを前記二次ディスプレイデバイス上に表示することと、
前記二次ディスプレイデバイスが、前記１つ以上の情報セットに対するアップデートを前記リッチユーザデバイスから受信することと、
前記二次ディスプレイデバイス上で前記１つ以上の情報セットを前記受信されたアップデートと置き換えることと
を備える方法。
［Ｃ９］ 前記１つ以上の情報セットの各々は、前記二次ディスプレイデバイスの関連するセクションに表示される、Ｃ８に記載の方法。
［Ｃ１０］ 前記二次ディスプレイデバイスが、前記リッチユーザデバイスと前記二次ディスプレイデバイスとの間で専用通信ペアリングを確立することをさらに備える、Ｃ８に記載の方法。
［Ｃ１１］ 前記１つ以上の情報セットおよび前記アップデートは、前記二次ディスプレイデバイスによってワイヤレスに受信される、Ｃ８に記載の方法。
［Ｃ１２］ 電子装置であって、
リッチユーザデバイスに関連付けられた１つ以上の二次ディスプレイデバイスと共有すべき、前記リッチユーザデバイスを通して保持される１つ以上の情報セットの選択を受信するための、前記リッチユーザデバイスによって実行可能な手段と、
前記選択された１つ以上の情報セットに関連付けられた現在のデータを識別するための、前記リッチユーザデバイスによって実行可能な手段と、
前記識別された現在のデータを、表示のために前記１つ以上の二次ディスプレイデバイスに送るための、前記リッチユーザデバイスによって実行可能な手段と
を備える電子装置。
［Ｃ１３］ 前記選択された１つ以上の情報セットにおいて新しいデータを検出するための手段と、
前記検出された新しいデータを、表示のために前記１つ以上の二次ディスプレイデバイスに送信するための手段と
をさらに備える、Ｃ１２に記載の電子装置。
［Ｃ１４］ 前記１つ以上の情報セットは、
カレンダ情報、
メッセージボード情報、
位置情報、
写真、
タスクリスト情報、および
ソーシャルメディア情報
のうちの１つ以上を備える、Ｃ１２に記載の電子装置。
［Ｃ１５］ 前記リッチユーザデバイスに関連付けられた１つ以上の追加の二次ディスプレイデバイスと共有すべき、前記リッチユーザデバイス上で保持される追加の１つ以上の情報セットの選択を受信するための手段と、
前記追加の１つ以上の情報セットから追加の現在のデータを識別するための手段と、
前記識別された追加の現在のデータを、表示のために前記１つ以上の追加の二次ディスプレイデバイスに送信するための手段と、
をさらに備える、Ｃ１２に記載の電子装置。
［Ｃ１６］ 前記リッチユーザデバイスと前記関連付けられた１つ以上の二次ディスプレイデバイスとの間で専用通信ペアリングを確立するための、前記リッチユーザデバイスによって実行可能な手段をさらに備える、Ｃ１２に記載の電子装置。
［Ｃ１７］ 前記送るための手段は、事前に選択されたイベントに応答して自動的に実行される、Ｃ１２に記載の電子装置。
［Ｃ１８］ 前記事前に選択されたイベントは、
位置へのエントリ、
前記リッチユーザデバイスによる所定のデータの受信、および
所定の時間での到着
のうちの１つ以上を備える、Ｃ１７に記載の電子装置。
［Ｃ１９］ 電子装置であって、
リッチユーザデバイスから１つ以上の情報セットを受信するための、二次ディスプレイデバイスによって実行可能な手段と、ここにおいて、前記二次ディスプレイデバイスは、前記リッチユーザデバイスとの専用通信ペアリングを有する、
前記１つ以上の情報セットを前記二次ディスプレイデバイス上に表示するための手段と、
前記１つ以上の情報セットに対するアップデートを前記リッチユーザデバイスから受信するための、前記二次ディスプレイデバイスによって実行可能な手段と、
前記二次ディスプレイデバイス上で前記１つ以上の情報セットを前記受信されたアップデートと置き換えるための手段と
を備える電子装置。
［Ｃ２０］ 前記１つ以上の情報セットの各々は、前記二次ディスプレイデバイスの関連するセクションに表示される、Ｃ１９に記載の電子装置。
［Ｃ２１］ 前記リッチユーザデバイスと前記二次ディスプレイデバイスとの間で専用通信ペアリングを確立するための、前記二次ディスプレイデバイスによって実行可能な手段をさらに備える、Ｃ１９に記載の電子装置。
［Ｃ２２］ 前記１つ以上の情報セットおよび前記アップデートは、前記二次ディスプレイデバイスによってワイヤレスに受信される、Ｃ１９に記載の電子装置。
［Ｃ２３］ コンピュータプログラム製品であって、
複数のモバイルデバイス上でのミラー化インターフェースナビゲーションのための、プログラムコードを記録している非一時的なコンピュータ読取可能な媒体を備え、前記プログラムコードは、
リッチユーザデバイスに関連付けられた１つ以上の二次ディスプレイデバイスと共有すべき、前記リッチユーザデバイスを通して保持される１つ以上の情報セットの選択を受信するための、前記リッチユーザデバイスによって実行可能なプログラムコードと、
前記選択された１つ以上の情報セットに関連付けられた現在のデータを識別するための、前記リッチユーザデバイスによって実行可能なプログラムコードと、
前記識別された現在のデータを、表示のために前記１つ以上の二次ディスプレイデバイスに送るための、前記リッチユーザデバイスによって実行可能なプログラムコードと
を備える、コンピュータプログラム製品。
［Ｃ２４］ 前記選択された１つ以上の情報セットにおいて新しいデータを検出するためのプログラムコードと、
前記検出された新しいデータを、表示のために前記１つ以上の二次ディスプレイデバイスに送信するためのプログラムコードと
をさらに備える、Ｃ２３に記載のコンピュータプログラム製品。
［Ｃ２５］ 前記１つ以上の情報セットは、
カレンダ情報、
メッセージボード情報、
位置情報、
写真、
タスクリスト情報、および
ソーシャルメディア情報
のうちの１つ以上を備える、Ｃ２３に記載のコンピュータプログラム製品。
［Ｃ２６］ 前記リッチユーザデバイスに関連付けられた１つ以上の追加の二次ディスプレイデバイスと共有すべき、前記リッチユーザデバイス上で保持される追加の１つ以上の情報セットの選択を受信するためのプログラムコードと、
前記追加の１つ以上の情報セットから追加の現在のデータを識別するためのプログラムコードと、
前記識別された追加の現在のデータを、表示のために前記１つ以上の追加の二次ディスプレイデバイスに送信するためのプログラムコードと、
をさらに備える、Ｃ２３に記載のコンピュータプログラム製品。
［Ｃ２７］ 前記リッチユーザデバイスと前記関連付けられた１つ以上の二次ディスプレイデバイスとの間で専用通信ペアリングを確立するための、前記リッチユーザデバイスによって実行可能なプログラムコードをさらに備える、Ｃ２３に記載のコンピュータプログラム製品。
［Ｃ２８］ 前記送るためのプログラムコードは、事前に選択されたイベントに応答して自動的に実行される、Ｃ２３に記載のコンピュータプログラム製品。
［Ｃ２９］ 前記事前に選択されたイベントは、
位置へのエントリ、
前記リッチユーザデバイスによる所定のデータの受信、および
所定の時間での到着
のうちの１つ以上を備える、Ｃ２８に記載のコンピュータプログラム製品。
［Ｃ３０］ コンピュータプログラム製品であって、
複数のモバイルデバイス上でのミラー化インターフェースナビゲーションのための、プログラムコードを記録している非一時的なコンピュータ読取可能な媒体を備え、前記プログラムコードは、
リッチユーザデバイスから１つ以上の情報セットを受信するための、二次ディスプレイデバイスによって実行可能なプログラムコードと、ここにおいて、前記二次ディスプレイデバイスは、前記リッチユーザデバイスとの専用通信ペアリングを有する、
前記１つ以上の情報セットを前記二次ディスプレイデバイス上に表示するためのプログラムコードと、
前記リッチユーザデバイスから前記１つ以上の情報セットに対するアップデートを受信するための、前記二次ディスプレイデバイスによって実行可能なプログラムコードと、
前記二次ディスプレイデバイス上で前記１つ以上の情報セットを前記受信されたアップデートと置き換えるためのプログラムコードと
を備えるコンピュータプログラム製品。
［Ｃ３１］ 前記１つ以上の情報セットの各々は、前記二次ディスプレイデバイスの関連するセクションに表示される、Ｃ３０に記載のコンピュータプログラム製品。
［Ｃ３２］ 前記リッチユーザデバイスと、前記二次ディスプレイデバイスとの間で専用通信ペアリングを確立するための、前記二次ディスプレイデバイスによって実行可能なプログラムコードをさらに備える、Ｃ３０に記載のコンピュータプログラム製品。
［Ｃ３３］ 前記１つ以上の情報セットおよび前記アップデートは、前記二次ディスプレイデバイスによってワイヤレスに受信される、Ｃ３０に記載のコンピュータプログラム製品。
［Ｃ３４］ リッチユーザデバイスであって、
少なくとも１つのプロセッサと、
前記少なくとも１つのプロセッサに結合されたメモリと、
前記少なくとも１つのプロセッサに結合されたディスプレイデバイスと
を備え、前記少なくとも１つのプロセッサは、
リッチユーザデバイスに関連付けられた１つ以上の二次ディスプレイデバイスと共有すべき、前記リッチユーザデバイスを通して保持される１つ以上の情報セットの選択を受信することと、
前記選択された１つ以上の情報セットに関連付けられた現在のデータを識別することと、
前記識別され現在のデータを、表示のために前記１つ以上の二次ディスプレイデバイスに送ることと
を行うように構成される、リッチユーザデバイス。
［Ｃ３５］ 前記少なくとも１つのプロセッサはさらに、
前記選択された１つ以上の情報セットにおいて新しいデータを検出することと、
前記検出された新しいデータを、表示のために前記１つ以上の二次ディスプレイデバイスに送信することと
を行うように構成される、Ｃ３４に記載のリッチユーザデバイス。
［Ｃ３６］ 前記１つ以上の情報セットは、
カレンダ情報、
メッセージボード情報、
位置情報、
写真、
タスクリスト情報、および
ソーシャルメディア情報
のうちの１つ以上を備える、Ｃ３４に記載のリッチユーザデバイス。
［Ｃ３７］ 前記少なくとも１つのプロセッサはさらに、
前記リッチユーザデバイスに関連付けられた１つ以上の追加の二次ディスプレイデバイスと共有すべき、前記リッチユーザデバイス上で保持される追加の１つ以上の情報セットの選択を受信することと、
前記追加の１つ以上の情報セットから追加の現在のデータを識別することと、
前記識別された追加の現在のデータを、表示のために前記１つ以上の追加の二次ディスプレイデバイスに送信することと
を行うように構成される、Ｃ３４に記載のリッチユーザデバイス。
［Ｃ３８］ 前記少なくとも１つのプロセッサはさらに、
前記リッチユーザデバイスと前記関連付けられた１つ以上の二次ディスプレイデバイスとの間で専用通信ペアリングを確立すること
を行うように構成される、Ｃ３４に記載のリッチユーザデバイス。
［Ｃ３９］ 前記送るための少なくとも１つのプロセッサの構成は、事前に選択されたイベントに応答して自動的に実行される、Ｃ３４に記載のリッチユーザデバイス。
［Ｃ４０］ 前記事前に選択されたイベントは、
位置へのエントリ、
前記リッチユーザデバイスによる所定のデータの受信、および
所定の時間での到着
のうちの１つ以上を備える、Ｃ３９に記載のリッチユーザデバイス。
［Ｃ４１］ 二次ディスプレイデバイスであって、
少なくとも１つのプロセッサと、
前記少なくとも１つのプロセッサに結合されたメモリと、
前記少なくとも１つのプロセッサに結合されたディスプレイデバイスと
を備え、
前記少なくとも１つのプロセッサは、
リッチユーザデバイスから１つ以上の情報セットを受信することと、ここにおいて、前記二次ディスプレイデバイスは、前記リッチユーザデバイスとの専用通信ペアリングを有する、
前記１つ以上の情報セットを前記二次ディスプレイデバイス上に表示することと、
前記リッチユーザデバイスから前記１つ以上の情報セットに対するアップデートを受信することと、
前記二次ディスプレイデバイス上で前記１つ以上の情報セットを前記受信されたアップデートと置き換えることと
を行うように構成された、二次ディスプレイデバイス。
［Ｃ４２］ 前記１つ以上の情報セットの各々は、前記二次ディスプレイデバイスの関連するセクションに表示される、Ｃ４１に記載の二次ディスプレイデバイス。
［Ｃ４３］ 前記少なくとも１つのプロセッサはさらに、
前記リッチユーザデバイスと前記二次ディスプレイデバイスとの間で専用通信ペアリングを確立すること
を行うように構成される、Ｃ４１に記載の二次ディスプレイデバイス。
［Ｃ４４］ 前記１つ以上の情報セットおよび前記アップデートは、前記二次ディスプレイデバイスによってワイヤレスに受信される、Ｃ４１に記載の二次ディスプレイデバイス。
【図１】
0006275688.tif 000002
【図２】
0006275688.tif 000003
【図３】
0006275688.tif 000004
【図４】
0006275688.tif 000005
【図５】
0006275688.tif 000006
【図６】
0006275688.tif 000007
【図７】
0006275688.tif 000008